(57)【要約】【課題】注射器と薬剤容器を弾性栓体を備えたアダプタを介して接続し、混合操作が容易であり、また溶解液単独での誤投与を防止することのできる薬剤投与具を提供する。【解決手段】注射器２と薬剤容器４とアダプタ３とを備え、アダプタ３は、注射器２のノズル部１１のノズル装着部３１と、弾性栓体収容部３２と、薬剤容器接続部３３と、中空穿刺針部３４とを備え、アダプタ３にノズル部１１を封止し、ノズル部の押し込みにより連通機構が開かれる封止部を有する弾性栓体５を備え、アダプタ３の中空穿刺針部３４を薬剤容器の４のシール部４２に刺通させ、ノズル部１１の押し込みにより弾性栓体５の封止部が連通状態となり注射器のノズル部と薬剤容器とが連通される薬剤投与具。【選択図】図２
2011212361.tif 000002
【特許請求の範囲】
【請求項１】
先端に開口したノズル部を有する外筒と、前記外筒内に摺動可能に収納されたガスケットと、該ガスケットに取付けられもしくは接続可能に形成されるプランジャと、前記外筒内に収納された医療用液体とからなる医療用液体収納済注射器と、開口部を有する容器本体と、該容器本体の開口部を封止するシール部と、内部に収納された薬剤とからなる薬剤容器と、前記注射器の前記ノズル部に離脱可能に装着され、かつ前記ノズル部を封止し、さらに、前記薬剤容器と接続可能なアダプタとを備えた薬剤投与具であって、
前記アダプタは、前記注射器のノズル部を押し込み可能かつ着脱可能に装着するノズル装着部と、前記ノズル部を封止するとともに、軸方向に伸縮可能である弾性栓体と、該弾性栓体を収納する弾性栓体収容部と、前記薬剤容器のシール部側に接続するための薬剤容器接続部と、該薬剤容器接続部内に設けられ、前記弾性栓体内と連通し、かつ前記薬剤容器のシール部を刺通可能な中空穿刺針部とを備え、さらに、前記アダプタは、前記ノズル部の押し込みによる前記弾性栓体の圧縮時に前記ノズル部内と前記中空穿刺針部内とを連通させる連通機構を備えており、
前記薬剤投与具は、前記注射器のノズル部に装着された前記アダプタの薬剤容器接続部を薬剤容器のシール部側に接続することにより、前記アダプタの前記中空穿刺針部が前記薬剤容器の前記シール部を刺通可能であり、次いで、前記中空穿刺針部が前記薬剤容器の前記シール部を刺通した状態にて、刺通操作とは非連続的なものとする操作を介して前記注射器を前記アダプタ内に押し込むことにより、前記ノズル部内と前記薬剤容器内部とが、前記アダプタの連通機構および前記中空穿刺針部により連通状態となるものであることを特徴とする薬剤投与具。
【請求項２】
前記弾性栓体は、一端側に前記ノズル部を封止する封止部を有する伸縮可能な筒状体であり、前記連通機構は、前記封止部に設けられ、通常時閉塞し、かつ前記注射器の前記ノズル部により押圧されることにより開く開閉口により構成されている請求項１に記載の薬剤投与具。
【請求項３】
前記弾性栓体は、一端側に前記ノズル部を封止する封止部を有する伸縮可能な筒状体であり、前記連通機構は、前記アダプタに設けられ、前記中空穿刺針部と連通し、前記注射器の前記ノズル部による前記弾性栓体の押圧時に、前記封止部を刺通可能な弾性栓体刺通用中空穿刺針部により構成されている請求項１に記載の薬剤投与具。
【請求項４】
前記アダプタの前記薬剤容器接続部は、接続された前記薬剤容器の離脱を抑制する係合部を有している請求項１ないし３のいずれかに記載の薬剤投与具。
【請求項５】
前記注射器は、ガイド用突起を有し、前記アダプタは、前記ガイド用突起をガイドするためのガイド溝を有し、該ガイド溝は、前記ガイド用突起を一方向にしか移動できないようにする逆止爪を備えている請求項１ないし４のいずれかに記載の薬剤投与具。
【請求項６】
前記注射器は、前記ノズル部の外面に設けられたガイド用突起を有し、前記アダプタは、前記ノズル装着部の内壁に設けられた前記ガイド用突起をガイドするためのガイド溝を有し、該ガイド溝は、前記ガイド用突起を一方向にしか移動できないようにする逆止爪を備えている請求項１ないし４のいずれかに記載の薬剤投与具。
【請求項７】
前記注射器は、前記ノズル部を被包するように設けられたカラー部と、該カラー部の内面に設けられたガイド用突起を有し、前記アダプタは、前記ノズル装着部の外面に設けられた前記ガイド用突起をガイドするためのガイド溝を有し、前記ガイド溝は、前記ガイド用突起を一方向にしか移動できないようにする逆止爪を備えている請求項１ないし４のいずれかに記載の薬剤投与具。
【請求項８】
前記アダプタの前記ガイド溝は、一端から前記ノズル部のガイド用突起を挿入して装着するための軸方向の挿入溝と、前記ガイド用突起を係合するための係合溝と、前記ガイド用突起を軸方向に摺動するための摺動溝と、突起を抜くための抜出溝とを備え、かつ前記係合溝は、前記ガイド用突起を一方向にしか移動できないようにする前記逆止爪を備え、前記摺動溝は、前記ノズル部が前記弾性栓体を圧縮する状態を保持するための保持用逆止爪を備えている請求項５ないし７のいずれかに記載の薬剤投与具。
【発明の詳細な説明】
【技術分野】
【０００１】
本発明は、医療用液体を収納した注射器と粉体の薬剤を収納された薬剤容器をアダプタにより接続し、粉体の薬剤と医療用液体を混合する薬剤投与具に関する。
【背景技術】
【０００２】
従来から、血液凝固因子製剤、ホルモン製剤、インターフェロン製剤等の、化学的に不安定で、溶液の状態にしておくと、急激にその効力を失う薬剤は、穿刺可能なゴム栓等の栓体を備えたバイアル等の容器に粉末、顆粒、凍結乾燥製剤として収納した形で与えられ、使用時に、注射用水、生理食塩液、ブドウ糖注射液等の溶解液と混合して溶解し、液状薬剤を調製することが行われている。
このような用時溶解を行うために、従来、針付きの注射器や両端に中空の穿刺針を有する両頭針という器具等が使用されている。すなわち、針付き注射器を使用する場合には、先ず、一定量の溶解液を注射器に採取し、その針をバイアルの口部ゴム栓に刺入してバイアル内に溶解液を注入する。そして、刺入した状態を維持して、バイアルを震盪して薬剤を溶解し、次いで薬液の一定量を注射器に採取して直接投与し、あるいはこれをブドウ糖注射液や生食などの入った輸液バッグに移して、輸液セットなどを用いて間接投与している。また、両頭針を使用する場合には、両頭針の両端の穿刺針をそれぞれ薬剤の入ったバイアルのゴム栓および溶解液容器又は注射器のゴム栓に刺入して両者を連通させ、溶解液をバイアル内に移送して薬剤を溶解し、バイアルから溶解液容器又は注射器に溶解された薬剤を戻した後、輸液セット又は注射針を使用して直接投与し、あるいは採取した薬液をブドウ糖注射液や生食などの入った輸液バッグに移して、輸液セットなどを用いて間接投与している。しかしながら、このような注射器などを用いた混合操作（投与準備作業）は、煩雑で手間がかかる。
また、投与準備作業は、医療従事者だけでなく自己注射を必要とする患者自身によって行われる場合がある。特に患者による投与準備は、汚染が危惧される環境や不安定な場所で行われる可能性が少なくない。また、予め医療用液体を収納した注射器すなわちプレフィルドシリンジも使用されているが、粉末製剤の溶解作業を失念し、プレフィルドシリンジ内の溶解液のみの投与、液漏れや接続部の外れなどを引き起こすおそれがある。
【０００３】
特許第３４７５４１４号公報（特許文献１）の混注用アダプター１は、特許文献１の図１に示されるように、円板状のハブ１１の同軸上反対側にそれぞれ中空の穿刺針１２と管状のチップ装着部１３が設けられており、ハブ１１の外縁にはそれぞれ、穿刺針１２の先端を超えてこれと同心状に延びる筒状のバイアル装着部１４と、チップ装着部１３の先端を超えてこれと同心状に延びる筒状のシリンジ装着部１５が設けられている。また、穿刺針１２が、チップ装着部１３と連通しかつ刃先１２１に開口する薬液通路１２２と、ハブ１１に隣接してバイアル装着部１４に設けられた除菌フィルター１７付き通気口１６に開口しかつ穿刺針１２の刃先１２１に開口する気体通路１２３を有するものとされている。
そして、チップ装着部１３に溶解液を充填したシリンジを取り付け、その穿刺針１２をバイアルのゴム栓に刺通してシリンジとバイアルを連通させるだけで、シリンジ内の溶解液とバイアル内の粉末製剤とを容易に震盪混合することができる。
【０００４】
特許第３３０３２８９号公報（特許文献２）の２成分混合用溶解充填注射器は、特許文献２の図１、図３及び図７に示されるように、両頭針３とアダプタ２の間には連通順序制御手段が備えられており、連通順序制御手段は、ハブ３３の周縁の軸方向に設けられた複数の可撓性係合枝３４と、アダプタ２の内壁にバイアル装着部２１に近接して設けられた、係合枝３４をスライド可能に支持する複数の縦溝２５と、縦溝２５の所定位置に形成された係合解除部２６からなり、注射器外筒１をバイアル装着部２１方向に移動させた時に、両頭針３が注射器外筒１とともにアダプタ２の内壁を移動して、バイアルのゴム栓が上部穿刺針３１によって刺通された後に初めて係合枝３４が係合解除部２６に到達して、アダプタ２の縦溝２５と両頭針３の係合枝３４の係合が解除されるように構成され、ゴム栓からの溶出が少なく、液漏れのおそれがないとするものである。
【０００５】
特開２００４−８１８１９号公報（特許文献３）の連通手段付き薬液容器は、先端に注射針接続部１１を有する薬液容器１０と、薬液容器１０の先端に設けられた中空の連通手段２０を含み、連通手段２０は、バイアルの口部をスライド自在に挿着可能な有底筒状のガイド部２１と、ガイド部の底面中央部に底面２２を貫通して設けられた中空の穿刺針部２３を含み、穿刺針部材２３は、底面より先端側の穿刺針２３ａと底面より基端側の接続部２３ｂを有し、接続部２３ｂが注射針接続部１１に接続されるものである。
【先行技術文献】
【特許文献】
【０００６】
【特許文献１】特許第３４７５４１４号公報
【特許文献２】特許第３３０３２８９号公報
【特許文献３】特開２００４−８１８１９号公報
【発明の概要】
【発明が解決しようとする課題】
【０００７】
特許文献１に記載されている混注用アダプタでは、薬剤の混合操作の前後において、混注用アダプタの外観上の差異がないため、注射器に収納されている溶解液を薬剤と混合する前に誤投与してしまう恐れがあった。同様に、特許文献２に記載されている２成分混合用溶解液充填注射器でも、あらかじめ注射器内に充填された溶解液を薬剤と混合する前にアダプタ部材を外してしまうと、溶解液を薬剤と混合する前に誤投与してしまう恐れがあった。
また、特許文献３では、連通手段には内部に薬液容器の薬液を封止する封止手段がなく、連通手段の穿刺針が別体のゴムや熱可塑性エラストマーで形成されたキャップで液密又は気密に密封される。薬液容器と連通手段とを接続し、穿刺針に被せたキャップを外し、シリンジを移動させ連通手段のガイド部に沿ってバイアルの口部をスライドさせ、穿刺針でバイアルのゴム栓体を刺通するもので、キャップを外し、バイアルに刺し通す作業が必要で不便であり、その穿刺針で操作者が怪我をする恐れがある。また、キャップを外してバイアルのゴム栓体に刺し通すときに液漏れを生じる恐れがあり使い勝手が悪い。
【０００８】
本発明は、上記問題点に鑑みなされたもので、本発明の目的は、上記した従来技術の問題点を解決しようとするものであり、混合操作が容易であり、また溶解液単独での誤投与を防止することのできる薬剤投与具を提供することにある。
【課題を解決するための手段】
【０００９】
上記目的を達成するものは、以下のものである。
（１）  先端に開口したノズル部を有する外筒と、前記外筒内に摺動可能に収納されたガスケットと、該ガスケットに取付けられもしくは接続可能に形成されるプランジャと、前記外筒内に収納された医療用液体とからなる医療用液体収納済注射器と、開口部を有する容器本体と、該容器本体の開口部を封止するシール部と、内部に収納された薬剤とからなる薬剤容器と、前記注射器の前記ノズル部に離脱可能に装着され、かつ前記ノズル部を封止し、さらに、前記薬剤容器と接続可能なアダプタとを備えた薬剤投与具であって、
前記アダプタは、前記注射器のノズル部を押し込み可能かつ着脱可能に装着するノズル装着部と、前記ノズル部を封止するとともに、軸方向に伸縮可能である弾性栓体と、該弾性栓体を収納する弾性栓体収容部と、前記薬剤容器のシール部側に接続するための薬剤容器接続部と、該薬剤容器接続部内に設けられ、前記弾性栓体内と連通し、かつ前記薬剤容器のシール部を刺通可能な中空穿刺針部とを備え、さらに、前記アダプタは、前記ノズル部の押し込みによる前記弾性栓体の圧縮時に前記ノズル部内と前記中空穿刺針部内とを連通させる連通機構を備えており、
前記薬剤投与具は、前記注射器のノズル部に装着された前記アダプタの薬剤容器接続部を薬剤容器のシール部側に接続することにより、前記アダプタの前記中空穿刺針部が前記薬剤容器の前記シール部を刺通可能であり、次いで、前記中空穿刺針部が前記薬剤容器の前記シール部を刺通した状態にて、刺通操作とは非連続的なものとする操作を介して前記注射器を前記アダプタ内に押し込むことにより、前記ノズル部内と前記薬剤容器内部とが、前記アダプタの連通機構および前記中空穿刺針部により連通状態となるものである薬剤投与具。
【００１０】
（２）  前記弾性栓体は、一端側に前記ノズル部を封止する封止部を有する伸縮可能な筒状体であり、前記連通機構は、前記封止部に設けられ、通常時閉塞し、かつ前記注射器の前記ノズル部により押圧されることにより開く開閉口により構成されている上記（１）に記載の薬剤投与具。
（３）  前記弾性栓体は、一端側に前記ノズル部を封止する封止部を有する伸縮可能な筒状体であり、前記連通機構は、前記アダプタに設けられ、前記中空穿刺針部と連通し、前記注射器の前記ノズル部による前記弾性栓体の押圧時に、前記封止部を刺通可能な弾性栓体刺通用中空穿刺針部により構成されている上記（１）に記載の薬剤投与具。
（４）  前記アダプタの前記薬剤容器接続部は、接続された前記薬剤容器の離脱を抑制する係合部を有している上記（１）ないし（３）のいずれかに記載の薬剤投与具。
（５）  前記注射器は、ガイド用突起を有し、前記アダプタは、前記ガイド用突起をガイドするためのガイド溝を有し、該ガイド溝は、前記ガイド用突起を一方向にしか移動できないようにする逆止爪を備えている上記（１）ないし（４）のいずれかに記載の薬剤投与具。
（６）  前記注射器は、前記ノズル部の外面に設けられたガイド用突起を有し、前記アダプタは、前記ノズル装着部の内壁に設けられた前記ガイド用突起をガイドするためのガイド溝を有し、該ガイド溝は、前記ガイド用突起を一方向にしか移動できないようにする逆止爪を備えている上記（１）ないし（４）のいずれかに記載の薬剤投与具。
（７）  前記注射器は、前記ノズル部を被包するように設けられたカラー部と、該カラー部の内面に設けられたガイド用突起を有し、前記アダプタは、前記ノズル装着部の外面に設けられた前記ガイド用突起をガイドするためのガイド溝を有し、前記ガイド溝は、前記ガイド用突起を一方向にしか移動できないようにする逆止爪を備えている上記（１）ないし（４）のいずれかに記載の薬剤投与具。
（８）  前記アダプタの前記ガイド溝は、一端から前記ノズル部のガイド用突起を挿入して装着するための軸方向の挿入溝と、前記ガイド用突起を係合するための係合溝と、前記ガイド用突起を軸方向に摺動するための摺動溝と、突起を抜くための抜出溝とを備え、かつ前記係合溝は、前記ガイド用突起を一方向にしか移動できないようにする前記逆止爪を備え、前記摺動溝は、前記ノズル部が前記弾性栓体を圧縮する状態を保持するための保持用逆止爪を備えている上記（５）ないし（７）のいずれかに記載の薬剤投与具。
【発明の効果】
【００１１】
本発明の薬剤投与具は、ノズル部を有する外筒と、外筒に収納された医療用液体とからなる医療用液体収納済注射器と、開口部がシール部で封止された薬剤容器と、外筒のノズル部に接続可能であり、かつ薬剤容器の開口部に接続可能なアダプタとを有する薬剤投与具である。アダプタは、注射器のノズル部を押し込み可能かつ着脱可能に装着するノズル装着部と、ノズル部を封止するとともに、軸方向に伸縮可能である弾性栓体と、弾性栓体を収納する弾性栓体収容部と、薬剤容器のシール部側に接続するための薬剤容器接続部と、薬剤容器接続部内に設けられ、弾性栓体内と連通し、かつ薬剤容器のシール部を刺通可能な中空穿刺針部とを備え、注射器のノズル部に装着されたアダプタの薬剤容器接続部を薬剤容器のシール部側に接続することにより、アダプタの中空穿刺針部が薬剤容器のシール部を刺通して開口し、注射器をアダプタ内に押し込むことにより、ノズル部内と薬剤容器内部とが、アダプタの連通機構および中空穿刺針部により連通状態となる。この薬剤投与具では、注射器に薬剤容器と接続されるアダプタが装着されているため、注射器をアダプタより離脱させる前に、薬剤容器内の薬剤との混合が必要であることを操作者が確実に認識するため、医療用液体を薬剤容器の薬剤と混合することなく投与することを防止することができる。
【００１２】
また、本発明の薬剤投与具では、弾性栓体は、注射器のノズル部を封止する封止部を有する伸縮可能な筒状体であり、連通機構は、封止部に設けられ、通常時閉塞し、かつ注射器のノズル部により押圧されることにより開く開閉口により構成されているものであれば、注射器をアダプタ内に押し込み筒状体を圧縮することにより開閉口が開かれ、中空穿刺針部内と注射器の外筒内部とを連通状態とすることができる。
【００１３】
また、本発明の薬剤投与具では、弾性栓体は、注射器のノズル部を封止する封止部を有する伸縮可能な筒状体であり、連通機構は、アダプタに設けられ、中空穿刺針部と連通し、注射器のノズル部による弾性栓体の押圧時に、封止部を刺通可能な弾性栓体刺通用中空穿刺針部により構成されているものであれば、注射器をアダプタ内に押し込み筒状体を圧縮することにより弾性栓体刺通用中空穿刺針部により封止部を刺通されて、中空穿刺針部内と注射器の外筒内部とを連通状態とすることができる。
【００１４】
アダプタの薬剤容器接続部は、接続された薬剤容器の脱離を抑制する係合部を有しているものであれば、薬剤容器から脱離不能に固定できる。したがって、注射器に収納されている医療用液体を薬剤容器の薬剤と混合する前に使用することは不可能となる。
【００１５】
注射器は、ノズル部に設けられたガイド用突起を有し、アダプタは、ノズル装着部の内壁に設けられたガイド用突起をガイドするためのガイド溝を有し、ガイド溝には、ガイド用突起を一方向にしか移動できないようにする逆止爪を備え、ガイド用突起を逆止爪に係止し、弾性栓体の封止部と薬剤容器のシール部を連通状態とした後のアダプタから注射器を取外し可能としたものであれば、注射器のガイド用突起をアダプタにガイド溝に沿って移動し、ガイド用突起がガイド溝の逆止爪によりノズル部を封止部に封止する状態に係止し、またノズル部で弾性栓体を押し込み中空穿刺針部で薬剤容器のシール部を刺通した状態で係止できるので、注射器とアダプタを封止状態で保持でき、またアダプタと薬剤容器を接続状態で保持でき、操作性が良い。
【図面の簡単な説明】
【００１６】
【図１】図１は、本発明の薬剤投与具を示す外観図である。
【図２】図２は、本発明の薬剤投与具における注射器接続済みアダプタに薬剤容器を装着した状態の部分拡大断面図である。
【図３】図３は、本発明の薬剤投与具のアダプタの中空穿刺針部が薬剤容器のシール部に刺通し、押し込まれた注射器により弾性栓体の開閉口が開いた状態を示す一部破断正面図である。
【図４】図４は、本発明の薬剤投与具のアダプタの中空穿刺針部が薬剤容器のシール部に刺通し、押し込まれた注射器により弾性栓体の開閉口が開いた状態を示す部分拡大断面図である。
【図５】図５は、本発明の薬剤投与具に用いられる注射器、アダプタ、薬剤容器を示す正面図である。
【図６】図６は、注射器の要部断面と底面およびアダプタの断面を示す図である。
【図７】図７は、図２にて示したアダプタの拡大断面図である。
【図８】図８は、図２にて示したアダプタの拡大平面図である。
【図９】図９は、注射器のノズル部をアダプタに装着した状態を説明するための説明図である。
【図１０】図１０は、本発明の薬剤投与具の作用を説明するための説明図である。
【図１１】図１１は、本発明の他の実施例の薬剤投与具におけるアダプタと薬剤容器を装着した状態の要部拡大断面図である。
【図１２】図１２は、図１１に示した薬剤投与具のアダプタの拡大断面図である。
【図１３】図１３は、図１１に示した実施例の薬剤投与具の作用を説明するための説明図である。
【図１４】図１４は、図１１に示した実施例の薬剤投与具の作用を説明するための説明図である。
【図１５】図１５は、本発明の他の実施例の薬剤投与具を説明するための説明図である。
【図１６】図１６は、本発明の他の実施例の薬剤投与具のアダプタの断面図である。
【発明を実施するための形態】
【００１７】
本発明の薬剤投与具を図面に示す実施例を用いて説明する。
本発明の薬剤投与具１は、先端に開口したノズル部１１を有する外筒１０と、外筒１０内に摺動可能に収納されたガスケット１２と、ガスケット１２に取付けられもしくは接続可能に形成されるプランジャ１３と、外筒１０内に収納された医療用液体Ａとからなる医療用液体収納済注射器２と、開口部４１を有する容器本体４０と、容器本体４０の開口部４１を封止するシール部４２と、内部に収納された薬剤Ｂとからなる薬剤容器４と、注射器のノズル部１１に離脱可能に装着され、かつノズル部１１を封止し、さらに、薬剤容器４と接続可能なアダプタ３とを備える。
アダプタ３は、注射器２のノズル部１１を押し込み可能かつ着脱可能に装着するノズル装着部３１と、ノズル部１１を封止するとともに、軸方向に伸縮可能である弾性栓体５と、弾性栓体５を収納する弾性栓体収容部３２と、薬剤容器４のシール部側に接続するための薬剤容器接続部３３と、薬剤容器接続部３３内に設けられ、弾性栓体５内と連通し、かつ薬剤容器４のシール部４２を刺通可能な中空穿刺針部３４とを備える。さらに、アダプタ３は、ノズル部１１の押し込みによる弾性栓体５の圧縮時にノズル部１１内と中空穿刺針部３４内とを連通させる連通機構を備えている。
薬剤投与具１は、注射器のノズル部１１に装着されたアダプタ３の薬剤容器接続部３３を薬剤容器４のシール部側に接続することにより、アダプタ３の中空穿刺針部３４が薬剤容器４のシール部４２を刺通可能であり、次いで、中空穿刺針部３４が薬剤容器４のシール部４２を刺通した状態での刺通操作と非連続的な操作である注射器２のアダプタ３内への押し込みにより（言い換えれば、刺通操作とは非連続的なものとする操作を介して注射器２をアダプタ３内に押し込むことにより）、ノズル部１１内と薬剤容器４の内部とが、アダプタ３の連通機構および中空穿刺針部３４により連通状態となるものである。
特に、図１ないし図１０の実施例の薬剤投与具では、弾性栓体５は、一端側にノズル部１１を封止する封止部５１を有する伸縮可能な筒状体であり、連通機構は、封止部５１に設けられ、通常時閉塞し、かつ注射器のノズル部により押圧されることにより開く開閉口５２により構成されている。
また、図１１ないし図１４の実施例の薬剤投与具では、弾性栓体５は、一端側にノズル部１１を封止する封止部６１を有する伸縮可能な筒状体であり、連通機構は、アダプタ３に設けられ、中空穿刺針部３４と連通し、注射器のノズル部１１による弾性栓体５の押圧時に、封止部６１を刺通可能な弾性栓体刺通用中空穿刺針部３８により構成されている。
【００１８】
図１は、本発明の薬剤投与具の提供される状態の外観図である。
本発明の薬剤投与具１は、医療用液体収納済注射器２と、薬剤容器４と、アダプタ３とを備える。
最初に、医療用液体収納済注射器２について、図１および図５を用いて説明する。
医療用液体収納済注射器２は、外筒１０と、外筒１０内に収納されたガスケット１２と、ガスケット１２に取付けられもしくは接続可能に形成されるプランジャ１３と、外筒１０内に収納（充填）された医療用液体Ａとからなる。
外筒１０は、図１ないし図５に示すように、本体部と、ノズル部１１とを備える。
外筒１０は、図１ないし図５に示すように、先端部に設けられたノズル部１１と、後端部にフランジ部１０ｂを有するものである。
そして、注射器２は、ガイド用突起を有し、アダプタ３は、ガイド用突起をガイドするためのガイド溝を有し、さらに、ガイド溝には、ガイド用突起を一方向にしか移動できないようにする逆止爪を備え、ガイド用突起を逆止爪に係止し、弾性栓体の封止部と薬剤容器のシール部を連通状態とした後のアダプタから注射器を取外し可能とするものであることが好ましい。
図１ないし図５に示すものでは、ノズル部１１は、外筒１０の本体部の先端に設けられており、外筒内の薬液等を排出するための先端開口部１０ａを備えるとともに先端に向かってテーパー状に縮径するように形成されている。そして、ノズル部１１には、両側にアダプタ３に装着時係合させるガイド用突起１１ａが形成されている。
ガイド用突起１１ａは、アダプタ３のノズル装着部３１に設けたガイド溝３１５に移動可能に挿入されるものである。
実施形態のガイド溝３１５は断面形状が四角形であり、ノズル部１１のガイド用突起１１ａも同様に四角形状としてあるが、これに限られるものではなく、ガイド溝を円弧状とし、ガイド用突起を断面円弧状など他の断面形状とすることができる。
【００１９】
外筒１０は、透明もしくは半透明材料により、必要に応じて、酸素透過性、水蒸気透過性の少ない材料により形成される筒状体である。
外筒１０の形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレート等のポリエステル、環状ポリオレフィンのような各種樹脂が挙げられるが、その中でも成形が容易で耐熱性があることから、ポリプロピレン、環状ポリオレフィンのような樹脂が好ましい。
外筒の構成材料は、内部の視認性を確保するために、実質的に透明であるのが好ましい。
【００２０】
ガスケット１２の形成材料としては、特に限定されないが、弾性を有するゴム（例えば、ブチルゴム、ラテックスゴム、シリコーンゴム、スチレン−ブタジエンゴムなど）、合成樹脂（例えば、ＳＢＳエラストマー、ＳＥＢＳエラストマー、ＳＥＰＳエラストマー等のスチレン系エラストマー、エチレン−αオレフィン共重合体エラストマー等のオレフィン系エラストマーなど）等を使用することが好ましい。
本発明における注射器の外筒１０に収納される医療用液体としては、注射用蒸留水、生理食塩水などの薬剤溶解液、さらには、薬剤（例えば、ビタミン剤、ミネラル類）を含有するとともに、薬剤容器内の粉末製剤の溶解が可能な薬液でもあってもよい。
薬剤容器４は、内部に薬剤Ｂを収納し、開口部４１にシール部４２を設けるものである。このシール部４２は、例えば各種ゴムや熱可塑性エラストマー等の弾性体よりなる膜または栓体で構成され、後述の中空穿刺針部で刺通可能なものであり、かつそれ自体気密性を有するものである。
【００２１】
本発明における薬剤容器４に収納される薬理学的に有効な物質としては、血液凝固因子製剤、ホルモン製剤、インターフェロン製剤、人免疫グロブリン製剤、ワクチン製剤、抗体医薬品、抗生物質、制癌剤、その他用時医療用液体を添加して溶液を調製し、投与する薬剤などが挙げられる。血液凝固因子製剤の例としては、乾燥濃縮ヒト血液凝固第８因子製剤、遺伝子組み換え（リコンビナント）第８因子製剤、乾燥ヒト血液凝固第９因子製剤、乾燥ヒト血液凝固因子抗体迂回活性複合体、遺伝子組み換え型活性化第７因子製剤、トロンビン、アンチトロンビン、乾燥フィブリノーゲンが挙げられる。インターフェロン製剤の例としては、インターフェロンアルファ類、インターフェロンベータ類、インターフェロンガンマ類が挙げられる。ワクチン製剤の例としては、乾燥ＢＣＧワクチン、乾燥ヘモフィルスｂ型ワクチン、乾燥組織培養不活化Ａ型肝炎ワクチン、乾燥弱毒性おたふくかぜワクチン、乾燥弱毒性麻しんワクチン、乾燥弱毒性水痘ワクチン、乾燥弱毒性風しんワクチン、乾燥組織培養不活化狂犬病ワクチンが挙げられる。抗体医薬品の例としては、バシリキシマブが挙げられる。その他、粉末製剤、顆粒製剤、細粒製剤、凍結乾燥製剤などであれば、どのようなものにでも好適に使用できる。
【００２２】
図３および図４において、アダプタ３は、合成樹脂製であり、注射器２のノズル部１１を押し込み可能かつ着脱可能に装着するノズル装着部３１と、ノズル部１１を封止するとともに、軸方向に伸縮可能である弾性栓体５と、弾性栓体５を収納する弾性栓体収容部３２と、薬剤容器４のシール部側に接続するための薬剤容器接続部３３と、弾性栓体内と連通し、かつ薬剤容器４のシール部４２を刺通可能な中空穿刺針部３４とを備える。また、この実施例では、アダプタ３は、中空穿刺針部３４と反対方向に延び、かつ中空穿刺針部３４内と連通する筒状突出部５４を備えている。
アダプタ３は、上部のノズル装着部３１の下部と薬剤容器接続部３３の上壁部３３１との間に弾性栓体５を収容する円筒状弾性栓体収容部３２が形成され、かつ薬剤容器接続部３３には、薬剤容器４のシール部４２に被せる円筒状接続部３３０と、上壁部３３１の下面には、薬剤容器４のシール部４２を刺通する中空穿刺針部３４が備えられる。
【００２３】
薬剤容器接続部３３は、薬剤容器４のシール部４２に被せる筒体（円筒状接続部）３３０と、筒体３３０の上部に設けた上壁部３３１には、中央下部に薬剤容器４のシール部４２を刺通する中空穿刺針部３４が備えられている。中空穿刺針部３４は、薬剤容器４のシール部４２を貫通可能な刃先部を有する中空針状部材であり、上壁部３３１の中央に形成され、内部に設けられた貫通した通路３５を備える。中空穿刺針部３４は、アダプタ３に一体に形成してあるが、これに限られるものではなく、中空穿刺針部３４を別に設けて、中空穿刺針部３４をアダプタ３の上壁部３３１の中央に固着する構造としても良い。
アダプタ３の薬剤容器接続部３３は、接続された薬剤容器の脱離を抑制する係合部３７を有している。係合部３７は、薬剤容器接続部３３の内周面の複数個所に内側に突出して形成される固定爪としてある。
薬剤容器接続部３３は、薬剤容器４への装着時に、固定爪３７が薬剤容器４の開口部の周縁部端部を乗り越えて下面と係合するものとなっており、アダプタ３を薬剤容器４に固定する。したがって、アダプタ３を薬液容器に装着（嵌合）後は取り外し困難なものとなっており、注射器２は、アダプタ３より取り外し可能である。
【００２４】
図７および図８に示す実施例の薬剤投与具では、弾性栓体５は、一端側にノズル部１１を封止する封止部を有する伸縮可能な筒状体であり、連通機構は、封止部に設けられ、通常時閉塞し、かつ注射器のノズル部により押圧されることにより開く開閉口５２により構成されている。
弾性栓体５は、実施例では、一端が封止部により封止された蛇腹状筒体である。弾性栓体５は、封止部５１が円盤状の頭部であり、筒体５３が蛇腹状で伸縮する。これにより、弾性栓体５は、その全体が変形し易くなっており、開閉口を確実に開かせることができる。また、図７に示すように、封止部５１は、肉厚部を備えており、この肉厚部が、図２に示すように、注射器のノズル部１１の開口部に進入し、ノズル部を液密に封止している。
開閉口５２は、例えば、弾性栓体５の封止部の中央部に、封止部５１を貫通して形成された一文字状のスリット（切り込み）で構成されている。
開閉口５２は、弾性栓体５が注射器２のノズル部１１により押圧されていない状態にあるときは、弾性栓体５自体の弾性により閉塞されており、一方、注射器２のノズル部１１により軸方向に押圧されたとき、封止部５１およびその近傍が変形することにより開くようになっている。特に、この実施例では、アダプタ３は、中空穿刺針部３４と反対方向に延び、かつ中空穿刺針部３４内と連通する筒状突出部５４を備えており、開閉口５２は、弾性栓体５の封止部の一方の面が、ノズル部１１の先端により押圧され、他方の面が筒状突出部５４の先端により押圧されることにより、変形し、開口するものとなっている。
【００２５】
弾性栓体５は、特に限定されないが、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料よりなる栓体で構成され、中空穿刺針部で刺通可能なものであり、かつそれ自体気密性を有するものである。
上記構造は、アダプタ３内に備えた弾性栓体５が注射器２の封止部を兼ねている構成であり、アダプタ３の薬剤容器接続部３３を薬剤容器４のシール部４２に装着して中空穿刺針部３４で薬剤容器４のシール部４２を刺通し、注射器２のノズル部１１を押し込むことにより弾性栓体５の封止部５１の開閉口５２を開いて連通させ、注射器２の医療用液体Ａをアダプタ３を通じて薬剤容器４に収納された薬剤Ｂと混合し調製できる。
図１１および図１２に示す実施例の薬剤投与具では、弾性栓体５の封止部に開閉口を設けないで、弾性栓体５は、一端側にノズル部１１を封止する封止部６１を有する伸縮可能な筒状体であり、連通機構は、アダプタ３に設けられ、中空穿刺針部３４と連通し、注射器のノズル部１１による弾性栓体５の押圧時に、封止部６１を刺通可能な弾性栓体刺通用中空穿刺針部３８により構成される。中空穿刺針部３４の通路３５と弾性栓体刺通用中空穿刺針部３８の通路３９は連通している。
弾性栓体刺通用中空穿刺針部３８は、弾性栓体５の封止部６１を貫通可能な刃先を有する中空針状部材であり、中空穿刺針部３４と弾性栓体刺通用中空穿刺針部３８は、上壁部３３１の上下中央に反対方向に延びるように形成されている。また、この実施例では、中空穿刺針部３４と弾性栓体刺通用中空穿刺針部３８が同一軸線上となるように設けられている。
【００２６】
弾性栓体刺通用中空穿刺針部３８は注射器２のノズル部１１により軸方向に押圧されたとき、筒状部６３が変形することにより封止部６１が押し下げられ、弾性栓体刺通用中空穿刺針部３８により封止部６１が刺通されて中空穿刺針部３８の内部の通路３９が連通通路となり注射器の外筒のノズル部内と連通する。
弾性栓体５の封止部６１は閉塞しており、注射器のノズル部１１の押し込みにより弾性栓体５が圧縮されることにより、封止部６１が、薬剤容器接続部３３の弾性栓体刺通用中空穿刺針部３８の針先方向に進行し、やがて、弾性栓体刺通用中空穿刺針部３８が弾性栓体５の封止部６１を刺通することにより、ノズル部１１内と薬剤容器４の内部とが連通する。
また、この実施例では、薬剤容器接続部３３の弾性栓体刺通用中空穿刺針部３８は、アダプタ３の中心位置にあり、ノズル部１１は円形の開口であり、ノズル部１１の押し込み時、弾性栓体刺通用中空穿刺針部３８が封止部６１より突出してもノズル部に当接せず、ノズル部内に進入可能となっている。また、弾性栓体刺通用中空穿刺針部３８の先端（刃先）は、弾性栓体５の封止部６１に近接するものとなっている。
【００２７】
図１２において、アダプタ３は、注射器２のノズル部１１を挿入するノズル装着部３１の下部と薬剤容器接続部３３の上壁部３３１との間に弾性栓体５を収容する弾性栓体収容部３２が形成される。この弾性栓体収容部３２内で、薬剤容器接続部３３の上壁部３３１の上部に注射器２のノズル部１１の開口を塞ぎ、かつ液漏れがないように弾性栓体５が備えられる。弾性栓体５の頭部の封止部６１は、開閉口を持たない密閉型となっている。また、この実施例の弾性栓体５は、封止部６１と、筒状部６３とを有し、その全体が弾性材料により構成されている。弾性栓体５の筒状部６２の外周面には、上述した実施例と同様に、蛇腹状筒状部とし、薄肉となっている。
そして、上述した実施例の薬剤投与具では、図７に示すように、アダプタ３は、ノズル装着部３１の内周壁に注射器のノズル部に設置したガイド用突起１１ａを移動するためのガイド溝３１５を有し、ガイド溝３１５には、ガイド用突起１１ａを一方向にしか移動できないようにする逆止爪が設けられている。
ガイド用突起１１ａを逆止爪３１７に保持時、弾性栓体５の封止部と薬剤容器のシール部を連通状態とし、弾性栓体の封止部と薬剤容器のシール部を連通状態とした後アダプタから注射器を取外し可能とするものである。
【００２８】
図７に示すように、アダプタ３のノズル装着部３１の内周壁のガイド溝３１５は、一端からノズル部１１のガイド用突起１１ａを挿入して装着するための軸方向の挿入溝３１５ａと、ガイド用突起を係合するための係合溝３１５ｂと、ガイド用突起を軸方向に摺動するための摺動溝３１５ｃと、突起を抜くための抜出溝３１５ｄとが形成され、かつ係合溝３１５ｂにはノズル部１１を弾性栓体５の封止部５１に当てて装着するため一方向に通過可能な逆止爪３１６と、摺動溝３１５ｃにはノズル部１１を押し込み弾性栓体５を圧縮した位置に保持するため一方向に通過可能な逆止爪３１７が備えられている。
このガイド溝３１５は可撓性の逆止爪３１６及び逆止爪３１７を備え、この爪３１６及び３１７により突起１１ａをそれぞれ注射器２のノズル部１１の口部を閉塞している位置（図２の状態）及び注射器２と薬剤容器４が連通状態になる位置（図４の状態）に固定することができる。
この逆止爪３１６及び３１７は可撓性であり、突起１１ａを進めることはできるが逆方向に動かすことはできない構造である。そのため、薬剤容器４と接続して混合操作を行い、その後に初めて注射器２からアダプタ３を取り外すことができるようになる。これより、薬剤を溶解させる前に医療用液体を誤投与することを防止できる。
【００２９】
また、本発明の薬剤投与具としては、図１５に示すようなタイプのものであってもよい。
この実施例の薬剤投与具においても、注射器２ａは、ガイド用突起を有し、アダプタ３ａは、ガイド用突起をガイドするためのガイド溝を有し、さらに、ガイド溝には、ガイド用突起を一方向にしか移動できないようにする逆止爪を備え、ガイド用突起を逆止爪に係止し、弾性栓体の封止部と薬剤容器のシール部を連通状態とした後のアダプタから注射器を取外し可能とするものである。
そして、図１５に示すものでは、注射器２ａは、ノズル部１１を被包するように設けられたカラー部１８と、カラー部の内面に設けられたガイド用突起１８ａを有している。ガイド用突起１８ａは、向かい合うように２つ設けられている。そして、アダプタ３ａは、ノズル装着部３１の外面に設けられたガイド用突起をガイドするためのガイド溝４１５を有する。ガイド溝４１５には、ガイド用突起１８ａを一方向にしか移動できないようにする逆止爪４１６を備え、ガイド用突起１８ａを逆止爪４１６に係止し、弾性栓体の封止部と薬剤容器のシール部を連通状態とした後のアダプタ３ａから注射器２ａを取外し可能としている。
具体的には、図１５に示すように、アダプタ３ａのノズル装着部３１の外面（外内周壁）のガイド溝４１５は、一端からカラー部１８のガイド用突起１８ａを挿入して装着するための軸方向の挿入溝４１５ａと、ガイド用突起を係合するための係合溝４１５ｂと、ガイド用突起を軸方向に摺動するための摺動溝４１５ｃと、突起を抜くための抜出溝４１５ｄとが形成されている。そして、そして係合溝４１５ｂの端部（言い換えれば、挿入溝４１５ａと係合溝４１５ｂの境界部）には、ノズル部１１を弾性栓体５の封止部５１に当てて装着するため一方向に通過可能な逆止爪４１６が設けられている。また、摺動溝４１５ｃには、ノズル部１１を押し込み弾性栓体５を圧縮した位置に保持するため一方向に通過可能な保持用逆止爪４１７が設けられている。
このガイド溝４１５は可撓性の逆止爪４１６及び逆止爪４１７を備え、この爪４１６及び４１７により突起１８ａをそれぞれ注射器２ａのノズル部１１の口部を閉塞している位置及び注射器２ａと薬剤容器４が連通状態になる位置に固定することができる。
この逆止爪４１６及び４１７は可撓性であり、突起１８ａを進めることはできるが逆方向に動かすことはできない構造である。そのため、薬剤容器４と接続して混合操作を行い、その後に初めて注射器２ａから接続アダプタ３ａを取り外すことができるようになる。これより、薬剤を溶解させる前に医療用液体を誤投与することを防止できる。
【００３０】
また、上述したすべての実施例において、アダプタは、図１６に示すようなものであってもよい。
図１６に示す実施例のアダプタ３ｂは、薬剤容器４のシール部４２を刺通可能な中空穿刺針部７０に設けられ、中空穿刺針部７０の薬剤容器４のシール部４２の刺通により、薬剤容器４内部と外気との連通を可能とするための空気流通用通路７２を持ち、空気流通路７２には、菌不透過性通気性フィルタ７３が設けられている。このような空気流通路を備えることにより、外筒１０への薬剤溶解済医療用液体の再吸引操作が容易となる。
図１６に示すものでは、中空穿刺針部７０は、外管７４と中空針状部７５とを備え、中空針状部と外管間により、空気流通用通路７２が形成されている。また、外管の基端において、空気流通用通路は閉塞しており、接続される外筒のノズル部の内部とは連通しないものとなっている。そして、アダプタには、空気流通路７２の一部を形成する通路７２が設けられており、通路７２の一端は、外管の側壁に形成された開口により、外管内の空気流通路と連通している。また、通路７２の他端には、菌不透過性通気性フィルタ７３が設けられている。よって、この実施例のアダプタは、外管７４の先端より、中空針状部７５の外面、アダプタの通路７２を通り、菌不透過性通気性フィルタ７３に至る空気流通路を備えている。このような空気流通路を備えることにより、外筒１０への薬剤溶解済医療用液体の再吸引操作が容易となる。
【００３１】
次に、図１ないし図１０に示した本発明の薬剤投与具の作用を図面を用いて説明する。
この実施例の薬剤投与具１では、注射器２の押圧力で弾性栓体５の開閉口を開口させて、注射器２内に充填されている医療用液体Ａを薬剤容器４の薬剤Ｂへ流入させて、混合調製し、混合調整された薬液Ｃを注射器２内に再充填させるものとなっている。
図１に示すように、この実施例の薬剤投与具１では、医療用液体充填済み注射器２が、アダプタ３のノズル装着部３１に装着された状態となっている。また、薬剤容器４は、アダプタ３に装着されていないものとなっている。
そして、アダプタ３に装着された状態の注射器２のノズル部１１をアダプタ３の装着部３１に挿入し、ノズル部１１のガイド用突起１１ａをアダプタ３の内壁のガイド溝３１５に挿入し、そしてガイド用突起１１ａをガイド溝３１５ａより挿入して係合溝３１５ｂに沿って回し逆止爪３１６を越えた位置で止めた状態となっており、この状態において、ノズル部１１ａの口部は、弾性栓体５の封止部５１により液密に封止されている。
そして、他方の手で、薬剤容器４を保持し、薬剤容器４のシール部側をアダプタ３の薬剤容器装着部に近接させ、その後、アダプタ３の薬剤容器装着部を薬剤容器４のシール部側に押しつけるとともに、注射器２を押圧する。これにより、注射器２は、アダプタ３のガイド溝３１５ｃに沿い前進し、弾性栓体５が注射器２のノズル部１１に押圧されることにより、開閉口５２が開口すると同時、もしくは若干遅れて、薬剤容器用中空穿刺針部３４が薬剤容器４のシール部４２を刺通し、薬剤容器接続部３３の係合部３７が薬剤容器４の開口部と係合する。これにより、薬剤容器４内と注射器２内とが連通状態となる。そして、薬剤容器４の内部が減圧されている場合には、薬剤容器内の減圧による吸引力により、注射器内の医療用液体は、薬剤容器内に流入する。また、薬剤容器４の内部が減圧されていない場合には、注射器のプランジャを押圧することにより、注射器内の医療用液体を薬剤容器内に流入させる。このようにして、薬剤容器４の薬剤Ｂと注射器内の液体Ａが混合されて薬液Ｃが調製される。
そして、図１０に示すように、薬剤容器４側が上方となるようにした後、プランジャを引き、薬剤容器４内の調整された薬液を注射器２に吸引し、その後、注射器２を接続アダプタ３のノズル装着部３１より取り外すことにより、投与準備が完了する。
【００３２】
次に、図１１ないし図１４に示した本発明の他の実施例の薬剤投与具の作用を図面を用いて説明する。
この実施例の薬剤投与具の操作は、上述した薬剤投与具と同じである。
この実施例の薬剤投与具においても、医療用液体充填済み注射器２が、アダプタ３のノズル装着部３１に装着された状態となっている。また、薬剤容器４は、アダプタ３に装着されていないものとなっている。
そして、アダプタ３に装着された状態の注射器２は、ノズル部１１をアダプタ３の装着部３１に挿入し、ノズル部１１のガイド用突起１１ａをアダプタ３の内壁のガイド溝３１５に挿入し、そしてガイド用突起１１ａをガイド溝３１５ａより挿入して３１５ｂに沿って回し逆止爪３１６を越えた位置で止めた状態となっており、この状態において、ノズル部１１ａの口部は、弾性栓体５の封止部６１により液密に封止されている。
そして、他方の手で、薬剤容器４を保持し、薬剤容器４のシール部側をアダプタ３の薬剤容器装着部に近接させ、その後、アダプタ３の薬剤容器装着部を薬剤容器４のシール部側に押しつけるとともに、注射器２を押圧する。これにより、注射器２は、アダプタ３のガイド溝３１５ｃに沿い前進し、弾性栓体５が注射器２のノズル部１１に押圧されることにより、弾性栓体５の封止部６１が、アダプタ３の弾性栓体側中空穿刺針部により刺通されると同時、もしくは若干遅れて、薬剤容器用中空穿刺針部３４が薬剤容器４のシール部４２を刺通し、薬剤容器接続部３３の係合部３７が薬剤容器４の開口部と係合する。これにより、薬剤容器４内と注射器２内とが連通状態となる。そして、薬剤容器４の内部が減圧されている場合には、薬剤容器内の減圧による吸引力により、注射器内の医療用液体は、薬剤容器内に流入する。また、薬剤容器４の内部が減圧されていない場合には、注射器のプランジャを押圧することにより、注射器内の医療用液体を薬剤容器内に流入させる。このようにして、薬剤容器４の薬剤Ｂと注射器内の液体Ａが混合されて薬液Ｃが調製される。
そして、薬剤容器４側が上方となるようにした後、プランジャを引き、薬剤容器４内の調整された薬液を注射器２に吸引し、その後、注射器２を接続アダプタ３のノズル装着部３１より取り外すことにより、投与準備が完了する。
以上、本発明の薬剤投与具を図示の実施形態について説明したが、本発明は、これに限定されるものではなく、薬剤投与具を構成する各部は、同様の機能を発揮し得る任意の構成のものと置換することができる。また、任意の構成物が付加されていてもよい。
【符号の説明】
【００３３】
１  薬剤投与具
２  医療用液体収納済注射器
３  アダプタ
４  薬剤容器
５  弾性栓体
１０  外筒
１１  ノズル部
１１ａ  ガイド用突起
２２  シール部
３１  ノズル装着部
３１５  ガイド溝
３１６  逆止爪
３１７  逆止爪
３２  弾性栓体収容部
３３  薬剤容器接続部
３４  中空穿刺針部
３５  通路
３７  係合部
３８  弾性栓体刺通用中空穿刺針部
３９  通路
５１  封止部
５２  開閉口
６１  封止部
Ａ  医療用液体
Ｂ  薬剤
Ｃ  薬液
【図１】
2011212361.tif 000003
【図２】
2011212361.tif 000004
【図３】
2011212361.tif 000005
【図４】
2011212361.tif 000006
【図５】
2011212361.tif 000007
【図６】
2011212361.tif 000008
【図７】
2011212361.tif 000009
【図８】
2011212361.tif 000010
【図９】
2011212361.tif 000011
【図１０】
2011212361.tif 000012
【図１１】
2011212361.tif 000013
【図１２】
2011212361.tif 000014
【図１３】
2011212361.tif 000015
【図１４】
2011212361.tif 000016
【図１５】
2011212361.tif 000017
【図１６】
2011212361.tif 000018